(57)【要約】      （修正有）【課題】密封性があり、雑物を隔離でき、同時に一回に一本のストローしか出ないストローを提供する。【解決手段】ストローは、装置主体１１及び前記装置主体の中に設置される送り装置を含み、前記送り装置が前記装置主体の中に設置される第一空き筐体２５に第一電機２３が固定に設置され、第一歯車２４が回転軸によって動力で係合接続され、前記第一歯車と噛み合う第二歯車２１が設置され、前記第二歯車の軸心に第一回転軸が固定に設置され、前記第一歯車の下側かつ前記第一空き筐体の中に第三歯車２６が噛合設置され、前記第三歯車の軸心に第二回転軸が固定に設置され、前記第一空き筐体の右側内壁に上に向かう第二空き筐体が設置され、前記第三空き筐体の中に第一回転ブロック２２が回転し設置され、前記第一回転軸の左端が前記第二空き筐体の中に挿入しかつ前記第一回転ブロックの左側端面に固定に接続される。【選択図】図１
2019217236.tif 000002
【特許請求の範囲】
【請求項１】
ストローは、装置主体及び前記装置主体の中に設置される送り装置を含み、前記送り装置が前記装置主体の中に設置される第一空き筐体を含み、前記第一空き筐体の左側内壁に第一電機が固定に設置され、前記第一電機の右端に前記第一空き筐体に回転できる第一歯車が回転軸によって動力で係合接続され、前記第一歯車の上側かつ前記第一空き筐体の中に前記第一歯車と噛み合う第二歯車が設置され、前記第二歯車の軸心に第一回転軸が固定に設置され、前記第一歯車の下側かつ前記第一空き筐体の中に第三歯車が噛合設置され、前記第三歯車の軸心に第二回転軸が固定に設置され、前記第一空き筐体の右側内壁に上に向かう第二空き筐体が設置され、前記第三空き筐体の中に第一回転ブロックが回転し設置され、前記第一回転軸の左端が前記第二空き筐体の中に挿入しかつ前記第一回転ブロックの左側端面に固定に接続され、前記第一回転ブロックに上向きの第三空き筐体が設置され、前記第二空き筐体の下側内壁に右向きの第四空き筐体が連通し設置され、前記第四空き筐体の中に左右にスライドする第一スライドブロックが設置され、前記第四空き筐体の下側内壁に第五空き筐体が連通し設置され、前記第二回転軸の右端が前記第五空き筐体の中に挿入しかつ前記第五空き筐体に回転できる第一親ねじと固定に接続され、前記第一親ねじの右端が軸受を通じて前記第五空き筐体の右側内壁に回転し接続され、前記第一スライドブロックの下側端面に前記第五空き筐体に挿入しかつ前記第一親ねじとねじで係合接続される第二スライドブロックが固定に接続され、前記装置主体の上側端面に第一固定ブロックが固定に接続され、前記第一固定ブロックに第六空き筐体が設置され、前記第六空き筐体の下側内壁と前記第二空き筐体の間に第一通し溝が連通し設置され、前記第六空き筐体の中に第二回転ブロックが回転し設置され、その中に、前記第二回転ブロックの左側端面と前記第六空き筐体の左側内壁が回転軸を通じて回転し係合接続され、前記第二回天ブロックに第七空き筐体が設置され、前記第七空き筐体の右側名へ器に第二固定ブロックが固定に設置され、前記第二固定ブロックに第二電機が固定に設置され、前記第二電機の右側端面に第三回転軸が動力で係合接続され、前記第三回転軸の右端が前記第六空き筐体の右側内壁に固定に接続され、前記第二固定ブロックの左側端面と前記第七空き筐体の左側内壁の間に第一接続柱が固定に接続され、前記第一接続柱の前後側端面及び上下側端面と前記第七空き筐体の内壁の間に隔離板が固定に接続され、前記第七空き筐体の上下側内壁及び前後側内壁に第二通し溝が貫通し設置され、前記第二通し溝の内壁に斜面構造が設置され、前記送り装置の中に補充装置が設置され、前記補充装置が前記第六空き筐体の左側内壁の上端に左右貫通して設置される第一スルーホールを含み、前記第一スルーホールの前後側内壁の間に上向きの第八空き筐体が連通し設置され、前記第八空き筐体の中に上下にスライドできる第三スライドブロックが設置され、前記第三スライドブロックの中に右向きの第一開き溝が設置され、前記第八空き筐体の右側内壁に前記第一開き溝の中に挿入する第一ガイドブロックが固定に接続され、前記第一ガイドブロックの下側内壁と前記第一開き溝の下側内壁の間に第一ばねが固定に接続され、前記第七空き筐体の左側端面に環形行列で分布する四つの送り口が左右貫通して設置され、前記第一固定ブロックの右側端面に制御ブロックが固定に設置され、前記制御ブロックの右側端面に上下行列で分布する四つのスイッチが固定に設置され、前記第六空き筐体の下側内壁の左端に第一識別ブロックが固定に設置され、前記第二回転ブロックの弧状内壁に前記隔離板に四つの部分に間仕切りされた前記第七空き筐体とそれぞれ対応する第二識別ブロックが環形行列で固定に設置され、その中に、前記制御ブロックに設置されるスイッチがそれぞれ四つの前記第二識別ブロックと対応し、前記スイッチを押すと、対応的に第二識別ブロックが第一識別ブロックと対応する位置に回転し、前記第三スライドブロックの上側端面に釣リンクがヒンジで回転し設置され、使用人員が前記釣リンクによって前記第三スライドブロックを引き動かせ、前記第二歯車の右側端面に固定に接続される第一回転軸の右端が前記第一回転ブロックの左側端面と爪車で接続され、その中に、第一回転軸が回転すると第一回転ブロックと動力で係合接続され、第一回転軸が反転すると第一回転ブロックとスライドし係合接続される。
【発明の詳細な説明】
【技術分野】
【０００１】
本発明は飲食用具技術分野に関し、具体的にはストローに関する。
【背景技術】
【０００２】
レストランでよく使われてるストローは様々な様式のあるストロー箱に置かれ、これらのストロー箱はプラスチック缶体が容器で、これらの容器を通じてストローを取る時に一回に多くのストローが出ることがよくあり、浪費にいたし、同時にこれらの容器が密封されず、雑物が入りやすく、したがって密封性のあり、雑物を隔離でき、同時に一回に一本のストローしか出ないストローが実に必要である。
【先行技術文献】
【特許文献】
【０００３】
【特許文献１】中国特許出願公開第105050456号明細書
【発明の概要】
【発明が解決しようとする課題】
【０００４】
本発明の目的はストローを提供し、上記の技術問題を解決することにある。
【課題を解決するための手段】
【０００５】
本発明は以下の技術プランによって実現される：本発明のストローは、装置主体及び前記装置主体の中に設置される送り装置を含み、前記送り装置が前記装置主体の中に設置される第一空き筐体を含み、前記第一空き筐体の左側内壁に第一電機が固定に設置され、前記第一電機の右端に前記第一空き筐体に回転できる第一歯車が回転軸によって動力で係合接続され、前記第一歯車の上側かつ前記第一空き筐体の中に前記第一歯車と噛み合う第二歯車が設置され、前記第二歯車の軸心に第一回転軸が固定に設置され、前記第一歯車の下側かつ前記第一空き筐体の中に第三歯車が噛合設置され、前記第三歯車の軸心に第二回転軸が固定に設置され、前記第一空き筐体の右側内壁に上に向かう第二空き筐体が設置され、前記第三空き筐体の中に第一回転ブロックが回転し設置され、前記第一回転軸の左端が前記第二空き筐体の中に挿入しかつ前記第一回転ブロックの左側端面に固定に接続され、前記第一回転ブロックに上向きの第三空き筐体が設置され、前記第二空き筐体の下側内壁に右向きの第四空き筐体が連通し設置され、前記第四空き筐体の中に左右にスライドする第一スライドブロックが設置され、前記第四空き筐体の下側内壁に第五空き筐体が連通し設置され、前記第二回転軸の右端が前記第五空き筐体の中に挿入しかつ前記第五空き筐体に回転できる第一親ねじと固定に接続され、前記第一親ねじの右端が軸受を通じて前記第五空き筐体の右側内壁に回転し接続され、前記第一スライドブロックの下側端面に前記第五空き筐体に挿入しかつ前記第一親ねじとねじで係合接続される第二スライドブロックが固定に接続され、前記装置主体の上側端面に第一固定ブロックが固定に接続され、前記第一固定ブロックに第六空き筐体が設置され、前記第六空き筐体の下側内壁と前記第二空き筐体の間に第一通し溝が連通し設置され、前記第六空き筐体の中に第二回転ブロックが回転し設置され、その中に、前記第二回転ブロックの左側端面と前記第六空き筐体の左側内壁が回転軸を通じて回転し係合接続され、前記第二回天ブロックに第七空き筐体が設置され、前記第七空き筐体の右側名へ器に第二固定ブロックが固定に設置され、前記第二固定ブロックに第二電機が固定に設置され、前記第二電機の右側端面に第三回転軸が動力で係合接続され、前記第三回転軸の右端が前記第六空き筐体の右側内壁に固定に接続され、前記第二固定ブロックの左側端面と前記第七空き筐体の左側内壁の間に第一接続柱が固定に接続され、前記第一接続柱の前後側端面及び上下側端面と前記第七空き筐体の内壁の間に隔離板が固定に接続され、前記第七空き筐体の上下側内壁及び前後側内壁に第二通し溝が貫通し設置され、前記第二通し溝の内壁に斜面構造が設置される。
【０００６】
優先的な技術プランとして、前記送り装置の中に補充装置が設置され、前記補充装置が前記第六空き筐体の左側内壁の上端に左右貫通して設置される第一スルーホールを含み、前記第一スルーホールの前後側内壁の間に上向きの第八空き筐体が連通し設置され、前記第八空き筐体の中に上下にスライドできる第三スライドブロックが設置され、前記第三スライドブロックの中に右向きの第一開き溝が設置され、前記第八空き筐体の右側内壁に前記第一開き溝の中に挿入する第一ガイドブロックが固定に接続され、前記第一ガイドブロックの下側内壁と前記第一開き溝の下側内壁の間に第一ばねが固定に接続され、前記第七空き筐体の左側端面に環形行列で分布する四つの送り口が左右貫通して設置される。
【０００７】
優先的な技術プランとして、前記第一固定ブロックの右側端面に制御ブロックが固定に設置され、前記制御ブロックの右側端面に上下行列で分布する四つのスイッチが固定に設置され、前記第六空き筐体の下側内壁の左端に第一識別ブロックが固定に設置され、前記第二回転ブロックの弧状内壁に前記隔離板に四つの部分に間仕切りされた前記第七空き筐体とそれぞれ対応する第二識別ブロックが環形行列で固定に設置され、その中に、前記制御ブロックに設置されるスイッチがそれぞれ四つの前記第二識別ブロックと対応し、前記スイッチを押すと、対応的に第二識別ブロックが第一識別ブロックと対応する位置に回転する。
【０００８】
優先的な技術プランとして、前記第三スライドブロックの上側端面に釣リンクがヒンジで回転し設置され、使用人員が前記釣リンクによって前記第三スライドブロックを引き動かせる。
【０００９】
優先的な技術プランとして、前記第二歯車の右側端面に固定に接続される第一回転軸の右端が前記第一回転ブロックの左側端面と爪車で接続され、その中に、第一回転軸が回転すると第一回転ブロックと動力で係合接続され、第一回転軸が反転すると第一回転ブロックとスライドし係合接続される。
【発明の効果】
【００１０】
本発明の有益効果は：本発明は構造が簡単で、操作が便利で、使用人員が本装置のストローを取る時、使用人員が制御ブロックの右側端面に設置されるスイッチを押し、この時に第二電機が回転し、それにより第三回転軸を通じて第二固定ブロックが自転し、そして第二識別ブロックが第六空き筐体の中にスイッチと対応する第二識別ブロックが第一識別ブロックと当接するまで回転し、この時に第一電機が起動し、そして回転軸を通じて第一歯車が回転し、ひいては第二歯車が回転し、ひいては第一回転軸を通じて第一回転ブロックが第三空き筐体の開口が上に向かうまで一定角度を旋転し、同時に、第一歯車が第三歯車を連れて回転し、そして第二回転軸を通じて第一親ねじを連れて回転し、ひては第二スライドブロックを連れて第五空き筐体の中に最大限度に左側へ移動し、ひいては第一スライドブロックを連れて最大限度に左へ移動し、この時に隔離板によって間仕切りされた第七空き筐体の中の対応する空間の中に置かれるストローが第二通し溝及び第一通し溝を通り抜けて第三空き筐体の中に落ち、この時に第一電機が再び一百八十度を回転し、そして第一回転ブロックを連れて第三空き筐体の開口が下に向かうまで旋転し、この時に第一スライドブロックが第四空き筐体の中に最大限度に左へ移動し、この時に第三空き筐体の中のストローが第一スライドブロックの右側の第四空き筐体の中に落ち、この時に第一電機が三百六十度を反転し、更に第三歯車を連れて反転し、更に第一親ねじを連れて反転し、更に第二スライドブロックを連れて最大限度に右側へ移動し、更に第一スライドブロックを連れて第四空き筐体の中に最大限度に右側へ移動し、更に第四空き筐体に落ちたストローを第四空き筐体の右端開口外に押し、この時に使用人員がストローを取り、第七空き筐体の中のストローが尽くされたら、使用人員が釣リンクを上へ引いて第一スルーホールを開き、この時に第一スルーホール及び送り口を通じて第七空き筐体に相応するストローを加え、本装置では隔離板によって四つ筐体ルームが隔離され、したがって、本装置には四種類の異なるタイプのストローが提供され、同時に本装置の断絶度がよく、使用が簡単で、使用人員が本装置を通じて一回に一本のストローしか取り出せなく、浪費を避け、また本装置内のストローが尽きたら補充ができ、繰り返して使用できる。
【図面の簡単な説明】
【００１１】
説明しやすいため、本発明は以下の具体的な実施例と付図を交え詳しく説明する。
【００１２】
【図１】図1は本発明のストローの内部構造概略図である。
【図２】図2は図2のA-A方向の構造概略図である。
【発明を実施するための形態】
【００１３】
図1~2が示すように、本発明のストローは、装置主体11及び前記装置主体11の中に設置される送り装置を含み、前記送り装置が前記装置主体11の中に設置される第一空き筐体25を含み、前記第一空き筐体25の左側内壁に第一電機23が固定に設置され、前記第一電機23の右端に前記第一空き筐体25に回転できる第一歯車24が回転軸によって動力で係合接続され、前記第一歯車24の上側かつ前記第一空き筐体25の中に前記第一歯車24と噛み合う第二歯車24が設置され、前記第二歯車24の軸心に第一回転軸が固定に設置され、前記第一歯車24の下側かつ前記第一空き筐体25の中に第三歯車26が噛合設置され、前記第三歯車26の軸心に第二回転軸が固定に設置され、前記第一空き筐体25の右側内壁に上に向かう第二空き筐体36が設置され、前記第三空き筐体36の中に第一回転ブロック22が回転し設置され、前記第一回転軸の左端が前記第二空き筐体36の中に挿入しかつ前記第一回転ブロック22の左側端面に固定に接続され、前記第一回転ブロック22に上向きの第三空き筐体31が設置され、前記第二空き筐体36の下側内壁に右向きの第四空き筐体29が連通し設置され、前記第四空き筐体29の中に左右にスライドする第一スライドブロック35が設置され、前記第四空き筐体29の下側内壁に第五空き筐体28が連通し設置され、前記第二回転軸の右端が前記第五空き筐体28の中に挿入しかつ前記第五空き筐体28に回転できる第一親ねじ27と固定に接続され、前記第一親ねじ27の右端が軸受を通じて前記第五空き筐体28の右側内壁に回転し接続され、前記第一スライドブロック35の下側端面に前記第五空き筐体28に挿入しかつ前記第一親ねじ27とねじで係合接続される第二スライドブロック34が固定に接続され、前記装置主体11の上側端面に第一固定ブロック52が固定に接続され、前記第一固定ブロック52に第六空き筐体37が設置され、前記第六空き筐体37の下側内壁と前記第二空き筐体36の間に第一通し溝32が連通し設置され、前記第六空き筐体37の中に第二回転ブロック55が回転し設置され、その中に、前記第二回転ブロック55の左側端面と前記第六空き筐体37の左側内壁が回転軸を通じて回転し係合接続され、前記第二回天ブロック55に第七空き筐体38が設置され、前記第七空き筐体38の右側名へ器に第二固定ブロック49が固定に設置され、前記第二固定ブロック49に第二電機51が固定に設置され、前記第二電機51の右側端面に第三回転軸が動力で係合接続され、前記第三回転軸の右端が前記第六空き筐体37の右側内壁に固定に接続され、前記第二固定ブロック49の左側端面と前記第七空き筐体38の左側内壁の間に第一接続柱41が固定に接続され、前記第一接続柱41の前後側端面及び上下側端面と前記第七空き筐体38の内壁の間に隔離板56が固定に接続され、前記第七空き筐体38の上下側内壁及び前後側内壁に第二通し溝36が貫通し設置され、前記第二通し溝36の内壁に斜面構造が設置される。
【００１４】
有益的には、前記送り装置の中に補充装置が設置され、前記補充装置が前記第六空き筐体37の左側内壁の上端に左右貫通して設置される第一スルーホール43を含み、前記第一スルーホール43の前後側内壁の間に上向きの第八空き筐体40が連通し設置され、前記第八空き筐体40の中に上下にスライドできる第三スライドブロック42が設置され、前記第三スライドブロック42の中に右向きの第一開き溝44が設置され、前記第八空き筐体40の右側内壁に前記第一開き溝44の中に挿入する第一ガイドブロック46が固定に接続され、前記第一ガイドブロック46の下側内壁と前記第一開き溝44の下側内壁の間に第一ばね45が固定に接続され、前記第七空き筐体38の左側端面に環形行列で分布する四つの送り口39が左右貫通して設置される。
【００１５】
有益的には、前記第一固定ブロック52の右側端面に制御ブロック53が固定に設置され、前記制御ブロック53の右側端面に上下行列で分布する四つのスイッチ54が固定に設置され、前記第六空き筐体37の下側内壁の左端に第一識別ブロック57が固定に設置され、前記第二回転ブロック55の弧状内壁に前記隔離板56に四つの部分に間仕切りされた前記第七空き筐体38とそれぞれ対応する第二識別ブロック55が環形行列で固定に設置され、その中に、前記制御ブロック53に設置されるスイッチ54がそれぞれ四つの前記第二識別ブロック55と対応し、前記スイッチ54を押すと、対応的に第二識別ブロック55が第一識別ブロック57と対応する位置に回転する。
【００１６】
有益的には、前記第三スライドブロック42の上側端面に釣リンク47がヒンジで回転し設置され、使用人員が前記釣リンク47によって前記第三スライドブロック42を引き動かせる。
【００１７】
有益的には、前記第二歯車21の右側端面に固定に接続される第一回転軸の右端が前記第一回転ブロック22の左側端面と爪車で接続され、その中に、第一回転軸が回転すると第一回転ブロック22と動力で係合接続され、第一回転軸が反転すると第一回転ブロック22とスライドし係合接続される。
【００１８】
初期状態にある時、第一回転ブロック22が第三空き筐体31の開口が下に向かうまで回転し、第一スライドブロック35が第四空き筐体29の中に最大限度に右へ移動し、第三スライドブロック42の下側端面が第八空き筐体40の下側内壁と当接される。
【００１９】
使用人員が本装置のストローを取る時、使用人員が制御ブロック53の右側端面に設置されるスイッチ54を押し、この時に第二電機51が回転し、それにより第三回転軸を通じて第二固定ブロック49が自転し、そして第二識別ブロック55が第六空き筐体37の中にスイッチ54と対応する第二識別ブロック55が第一識別ブロック57と当接するまで回転し、この時に第一電機23が起動し、そして回転軸を通じて第一歯車24が回転し、ひいては第二歯車21が回転し、ひいては第一回転軸を通じて第一回転ブロック22が第三空き筐体31の開口が上に向かうまで一定角度を旋転し、同時に、第一歯車24が第三歯車26を連れて回転し、そして第二回転軸を通じて第一親ねじ27を連れて回転し、ひては第二スライドブロック34を連れて第五空き筐体28の中に最大限度に左側へ移動し、ひいては第一スライドブロック35を連れて最大限度に左へ移動し、この時に隔離板56によって間仕切りされた第七空き筐体38の中の対応する空間の中に置かれるストローが第二通し溝36及び第一通し溝32を通り抜けて第三空き筐体31の中に落ち、この時に第一電機23が再び一百八十度を回転し、そして第一回転ブロック22を連れて第三空き筐体31の開口が下に向かうまで旋転し、この時に第一スライドブロック35が第四空き筐体29の中に最大限度に左へ移動し、この時に第三空き筐体31の中のストローが第一スライドブロック35の右側の第四空き筐体29の中に落ち、この時に第一電機23が三百六十度を反転し、更に第三歯車26を連れて反転し、更に第一親ねじ27を連れて反転し、更に第二スライドブロック34を連れて最大限度に右側へ移動し、更に第一スライドブロック35を連れて第四空き筐体29の中に最大限度に右側へ移動し、更に第四空き筐体29に落ちたストローを第四空き筐体29の右端開口外に押し、この時に使用人員がストローを取り、第七空き筐体38の中のストローが尽くされたら、使用人員が釣リンク47を上へ引いて第一スルーホール43を開き、この時に第一スルーホール43及び送り口39を通じて第七空き筐体38に相応するストローを加える。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019217236.tif 000003
【図２】
2019217236.tif 000004
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
ストロー箱装置であって、装置主体及び前記装置主体の中に設置される送り装置を含み、前記送り装置が前記装置主体の中に設置される第一空きチャンバを含み、前記第一空きチャンバの左側内壁に第一電機が固定に設置され、前記第一電機の右端に前記第一空きチャンバに回転できる第一歯車が回転軸によって動力で係合接続され、前記第一歯車の上側かつ前記第一空きチャンバの中に前記第一歯車と噛み合う第二歯車が設置され、前記第二歯車の軸心に第一回転軸が固定に設置され、前記第一歯車の下側かつ前記第一空きチャンバの中に第三歯車が噛合設置され、前記第三歯車の軸心に第二回転軸が固定に設置され、前記第一空きチャンバの右側内壁に上に向かう第二空きチャンバが設置され、前記第二空きチャンバの中に第一回転ブロックが回転し設置され、前記第一回転軸の左端が前記第二空きチャンバの中に挿入しかつ前記第一回転ブロックの左側端面に固定に接続され、前記第一回転ブロックに上向きの第三空きチャンバが設置され、前記第二空きチャンバの下側内壁に右向きの第四空きチャンバが連通し設置され、前記第四空きチャンバの中に左右にスライドする第一スライドブロックが設置され、前記第四空きチャンバの下側内壁に第五空きチャンバが連通し設置され、前記第二回転軸の右端が前記第五空きチャンバの中に挿入しかつ前記第五空きチャンバに回転できる第一親ねじと固定に接続され、前記第一親ねじの右端が軸受を通じて前記第五空きチャンバの右側内壁に回転し接続され、前記第一スライドブロックの下側端面に前記第五空きチャンバに挿入しかつ前記第一親ねじとねじで係合接続される第二スライドブロックが固定に接続され、前記装置主体の上側端面に第一固定ブロックが固定に接続され、前記第一固定ブロックに第六空きチャンバが設置され、前記第六空きチャンバの下側内壁と前記第二空きチャンバの間に第一通し溝が連通し設置され、前記第六空きチャンバの中に第二回転ブロックが回転し設置され、その中に、前記第二回転ブロックの左側端面と前記第六空きチャンバの左側内壁が回転軸を通じて回転し係合接続され、前記第二回転ブロックに第七空きチャンバが設置され、前記第七空きチャンバの右側内壁に第二固定ブロックが固定に設置され、前記第二固定ブロックに第二電機が固定に設置され、前記第二電機の右側端面に第三回転軸が動力で係合接続され、前記第三回転軸の右端が前記第六空きチャンバの右側内壁に固定に接続され、前記第二固定ブロックの左側端面と前記第七空きチャンバの左側内壁の間に第一接続柱が固定に接続され、前記第一接続柱の前後側端面及び上下側端面と前記第七空きチャンバの内壁の間に隔離板が固定に接続され、前記第七空きチャンバの上下側内壁及び前後側内壁に第二通し溝が貫通し設置され、前記第二通し溝の内壁に斜面構造が設置され、前記送り装置の中に補充装置が設置され、前記補充装置が前記第六空きチャンバの左側内壁の上端に左右貫通して設置される第一スルーホールを含み、前記第一スルーホールの前後側内壁の間に上向きの第八空きチャンバが連通し設置され、前記第八空きチャンバの中に上下にスライドできる第三スライドブロックが設置され、前記第三スライドブロックの中に右向きの第一開き溝が設置され、前記第八空きチャンバの右側内壁に前記第一開き溝の中に挿入する第一ガイドブロックが固定に接続され、前記第一ガイドブロックの下側内壁と前記第一開き溝の下側内壁の間に第一ばねが固定に接続され、前記第七空きチャンバの左側端面に環形行列で分布する四つの送り口が左右貫通して設置され、前記第一固定ブロックの右側端面に制御ブロックが固定に設置され、前記制御ブロックの右側端面に上下行列で分布する四つのスイッチが固定に設置され、前記第六空きチャンバの下側内壁の左端に第一識別ブロックが固定に設置され、前記第二回転ブロックの弧状内壁に前記隔離板に四つの部分に間仕切りされた前記第七空きチャンバとそれぞれ対応する第二識別ブロックが環形行列で固定に設置され、その中に、前記制御ブロックに設置されるスイッチがそれぞれ四つの前記第二識別ブロックと対応し、前記スイッチを押すと、対応的に第二識別ブロックが第一識別ブロックと対応する位置に回転し、前記第三スライドブロックの上側端面に釣リンクがヒンジで回転し設置され、使用人員が前記釣リンクによって前記第三スライドブロックを引き動かせ、前記第二歯車の右側端面に固定に接続される第一回転軸の右端が前記第一回転ブロックの左側端面と爪車で接続され、その中に、第一回転軸が回転すると第一回転ブロックと動力で係合接続され、第一回転軸が反転すると第一回転ブロックとスライドし係合接続されることを特徴とするストロー箱装置。
【手続補正２】
【補正対象書類名】明細書
【補正対象項目名】全文
【補正方法】変更
【補正の内容】
【発明の詳細な説明】
【技術分野】
【０００１】
本発明は飲食用具技術分野に関し、具体的にはストロー箱装置に関する。
【背景技術】
【０００２】
レストランでよく使われてるストローは様々な様式のあるストロー箱に置かれ、これらのストロー箱はプラスチック缶体が容器で、これらの容器を通じてストローを取る時に一回に多くのストローが出ることがよくあり、浪費にいたし、同時にこれらの容器が密封されず、雑物が入りやすく、したがって密封性のあり、雑物を隔離でき、同時に一回に一本のストローしか出ないストロー箱装置が実に必要である。
【先行技術文献】
【特許文献】
【０００３】
【特許文献１】中国特許出願公開第１０５０５０４５６号明細書
【発明の概要】
【発明が解決しようとする課題】
【０００４】
本発明の目的はストロー箱装置を提供し、上記の技術問題を解決することにある。
【課題を解決するための手段】
【０００５】
本発明は以下の技術プランによって実現される：本発明のストロー箱装置は、装置主体及び前記装置主体の中に設置される送り装置を含み、前記送り装置が前記装置主体の中に設置される第一空きチャンバを含み、前記第一空きチャンバの左側内壁に第一電機が固定に設置され、前記第一電機の右端に前記第一空きチャンバに回転できる第一歯車が回転軸によって動力で係合接続され、前記第一歯車の上側かつ前記第一空きチャンバの中に前記第一歯車と噛み合う第二歯車が設置され、前記第二歯車の軸心に第一回転軸が固定に設置され、前記第一歯車の下側かつ前記第一空きチャンバの中に第三歯車が噛合設置され、前記第三歯車の軸心に第二回転軸が固定に設置され、前記第一空きチャンバの右側内壁に上に向かう第二空きチャンバが設置され、前記第二空きチャンバの中に第一回転ブロックが回転し設置され、前記第一回転軸の左端が前記第二空きチャンバの中に挿入しかつ前記第一回転ブロックの左側端面に固定に接続され、前記第一回転ブロックに上向きの第三空きチャンバが設置され、前記第二空きチャンバの下側内壁に右向きの第四空きチャンバが連通し設置され、前記第四空きチャンバの中に左右にスライドする第一スライドブロックが設置され、前記第四空きチャンバの下側内壁に第五空きチャンバが連通し設置され、前記第二回転軸の右端が前記第五空きチャンバの中に挿入しかつ前記第五空きチャンバに回転できる第一親ねじと固定に接続され、前記第一親ねじの右端が軸受を通じて前記第五空きチャンバの右側内壁に回転し接続され、前記第一スライドブロックの下側端面に前記第五空きチャンバに挿入しかつ前記第一親ねじとねじで係合接続される第二スライドブロックが固定に接続され、前記装置主体の上側端面に第一固定ブロックが固定に接続され、前記第一固定ブロックに第六空きチャンバが設置され、前記第六空きチャンバの下側内壁と前記第二空きチャンバの間に第一通し溝が連通し設置され、前記第六空きチャンバの中に第二回転ブロックが回転し設置され、その中に、前記第二回転ブロックの左側端面と前記第六空きチャンバの左側内壁が回転軸を通じて回転し係合接続され、前記第二回転ブロックに第七空きチャンバが設置され、前記第七空きチャンバの右側内壁に第二固定ブロックが固定に設置され、前記第二固定ブロックに第二電機が固定に設置され、前記第二電機の右側端面に第三回転軸が動力で係合接続され、前記第三回転軸の右端が前記第六空きチャンバの右側内壁に固定に接続され、前記第二固定ブロックの左側端面と前記第七空きチャンバの左側内壁の間に第一接続柱が固定に接続され、前記第一接続柱の前後側端面及び上下側端面と前記第七空きチャンバの内壁の間に隔離板が固定に接続され、前記第七空きチャンバの上下側内壁及び前後側内壁に第二通し溝が貫通し設置され、前記第二通し溝の内壁に斜面構造が設置される。
【０００６】
優先的な技術プランとして、前記送り装置の中に補充装置が設置され、前記補充装置が前記第六空きチャンバの左側内壁の上端に左右貫通して設置される第一スルーホールを含み、前記第一スルーホールの前後側内壁の間に上向きの第八空きチャンバが連通し設置され、前記第八空きチャンバの中に上下にスライドできる第三スライドブロックが設置され、前記第三スライドブロックの中に右向きの第一開き溝が設置され、前記第八空きチャンバの右側内壁に前記第一開き溝の中に挿入する第一ガイドブロックが固定に接続され、前記第一ガイドブロックの下側内壁と前記第一開き溝の下側内壁の間に第一ばねが固定に接続され、前記第七空きチャンバの左側端面に環形行列で分布する四つの送り口が左右貫通して設置される。
【０００７】
優先的な技術プランとして、前記第一固定ブロックの右側端面に制御ブロックが固定に設置され、前記制御ブロックの右側端面に上下行列で分布する四つのスイッチが固定に設置され、前記第六空きチャンバの下側内壁の左端に第一識別ブロックが固定に設置され、前記第二回転ブロックの弧状内壁に前記隔離板に四つの部分に間仕切りされた前記第七空きチャンバとそれぞれ対応する第二識別ブロックが環形行列で固定に設置され、その中に、前記制御ブロックに設置されるスイッチがそれぞれ四つの前記第二識別ブロックと対応し、前記スイッチを押すと、対応的に第二識別ブロックが第一識別ブロックと対応する位置に回転する。
【０００８】
優先的な技術プランとして、前記第三スライドブロックの上側端面に釣リンクがヒンジで回転し設置され、使用人員が前記釣リンクによって前記第三スライドブロックを引き動かせる。
【０００９】
優先的な技術プランとして、前記第二歯車の右側端面に固定に接続される第一回転軸の右端が前記第一回転ブロックの左側端面と爪車で接続され、その中に、第一回転軸が回転すると第一回転ブロックと動力で係合接続され、第一回転軸が反転すると第一回転ブロックとスライドし係合接続される。
【発明の効果】
【００１０】
本発明の有益効果は：本発明は構造が簡単で、操作が便利で、使用人員が本装置のストローを取る時、使用人員が制御ブロックの右側端面に設置されるスイッチを押し、この時に第二電機が回転し、それにより第三回転軸を通じて第二固定ブロックが自転し、そして第二識別ブロックが第六空きチャンバの中にスイッチと対応する第二識別ブロックが第一識別ブロックと当接するまで回転し、この時に第一電機が起動し、そして回転軸を通じて第一歯車が回転し、ひいては第二歯車が回転し、ひいては第一回転軸を通じて第一回転ブロックが第三空きチャンバの開口が上に向かうまで一定角度を旋転し、同時に、第一歯車が第三歯車を連れて回転し、そして第二回転軸を通じて第一親ねじを連れて回転し、ひては第二スライドブロックを連れて第五空きチャンバの中に最大限度に左側へ移動し、ひいては第一スライドブロックを連れて最大限度に左へ移動し、この時に隔離板によって間仕切りされた第七空きチャンバの中の対応する空間の中に置かれるストローが第二通し溝及び第一通し溝を通り抜けて第三空きチャンバの中に落ち、この時に第一電機が再び一百八十度を回転し、そして第一回転ブロックを連れて第三空きチャンバの開口が下に向かうまで旋転し、この時に第一スライドブロックが第四空きチャンバの中に最大限度に左へ移動し、この時に第三空きチャンバの中のストローが第一スライドブロックの右側の第四空きチャンバの中に落ち、この時に第一電機が三百六十度を反転し、更に第三歯車を連れて反転し、更に第一親ねじを連れて反転し、更に第二スライドブロックを連れて最大限度に右側へ移動し、更に第一スライドブロックを連れて第四空きチャンバの中に最大限度に右側へ移動し、更に第四空きチャンバに落ちたストローを第四空きチャンバの右端開口外に押し、この時に使用人員がストローを取り、第七空きチャンバの中のストローが尽くされたら、使用人員が釣リンクを上へ引いて第一スルーホールを開き、この時に第一スルーホール及び送り口を通じて第七空きチャンバに相応するストローを加え、本装置では隔離板によって四つチャンバが隔離され、したがって、本装置には四種類の異なるタイプのストローが提供され、同時に本装置の断絶度がよく、使用が簡単で、使用人員が本装置を通じて一回に一本のストローしか取り出せなく、浪費を避け、また本装置内のストローが尽きたら補充ができ、繰り返して使用できる。
【図面の簡単な説明】
【００１１】
説明しやすいため、本発明は以下の具体的な実施例と付図を交え詳しく説明する。
【００１２】
【図１】図１は本発明のストロー箱装置の内部構造概略図である。
【図２】図２は図２のＡ−Ａ方向の構造概略図である。
【発明を実施するための形態】
【００１３】
図１〜２が示すように、本発明のストロー箱装置は、装置主体１１及び前記装置主体１１の中に設置される送り装置を含み、前記送り装置が前記装置主体１１の中に設置される第一空きチャンバ２５を含み、前記第一空きチャンバ２５の左側内壁に第一電機２３が固定に設置され、前記第一電機２３の右端に前記第一空きチャンバ２５に回転できる第一歯車２４が回転軸によって動力で係合接続され、前記第一歯車２４の上側かつ前記第一空きチャンバ２５の中に前記第一歯車２４と噛み合う第二歯車２４が設置され、前記第二歯車２４の軸心に第一回転軸が固定に設置され、前記第一歯車２４の下側かつ前記第一空きチャンバ２５の中に第三歯車２６が噛合設置され、前記第三歯車２６の軸心に第二回転軸が固定に設置され、前記第一空きチャンバ２５の右側内壁に上に向かう第二空きチャンバ３６が設置され、前記第二空きチャンバ３６の中に第一回転ブロック２２が回転し設置され、前記第一回転軸の左端が前記第二空きチャンバ３６の中に挿入しかつ前記第一回転ブロック２２の左側端面に固定に接続され、前記第一回転ブロック２２に上向きの第三空きチャンバ３１が設置され、前記第二空きチャンバ３６の下側内壁に右向きの第四空きチャンバ２９が連通し設置され、前記第四空きチャンバ２９の中に左右にスライドする第一スライドブロック３５が設置され、前記第四空きチャンバ２９の下側内壁に第五空きチャンバ２８が連通し設置され、前記第二回転軸の右端が前記第五空きチャンバ２８の中に挿入しかつ前記第五空きチャンバ２８に回転できる第一親ねじ２７と固定に接続され、前記第一親ねじ２７の右端が軸受を通じて前記第五空きチャンバ２８の右側内壁に回転し接続され、前記第一スライドブロック３５の下側端面に前記第五空きチャンバ２８に挿入しかつ前記第一親ねじ２７とねじで係合接続される第二スライドブロック３４が固定に接続され、前記装置主体１１の上側端面に第一固定ブロック５２が固定に接続され、前記第一固定ブロック５２に第六空きチャンバ３７が設置され、前記第六空きチャンバ３７の下側内壁と前記第二空きチャンバ３６の間に第一通し溝３２が連通し設置され、前記第六空きチャンバ３７の中に第二回転ブロック５５が回転し設置され、その中に、前記第二回転ブロック５５の左側端面と前記第六空きチャンバ３７の左側内壁が回転軸を通じて回転し係合接続され、前記第二回転ブロック５５に第七空きチャンバ３８が設置され、前記第七空きチャンバ３８の右側内壁に第二固定ブロック４９が固定に設置され、前記第二固定ブロック４９に第二電機５１が固定に設置され、前記第二電機５１の右側端面に第三回転軸が動力で係合接続され、前記第三回転軸の右端が前記第六空きチャンバ３７の右側内壁に固定に接続され、前記第二固定ブロック４９の左側端面と前記第七空きチャンバ３８の左側内壁の間に第一接続柱４１が固定に接続され、前記第一接続柱４１の前後側端面及び上下側端面と前記第七空きチャンバ３８の内壁の間に隔離板５６が固定に接続され、前記第七空きチャンバ３８の上下側内壁及び前後側内壁に第二通し溝３６が貫通し設置され、前記第二通し溝３６の内壁に斜面構造が設置される。
【００１４】
有益的には、前記送り装置の中に補充装置が設置され、前記補充装置が前記第六空きチャンバ３７の左側内壁の上端に左右貫通して設置される第一スルーホール４３を含み、前記第一スルーホール４３の前後側内壁の間に上向きの第八空きチャンバ４０が連通し設置され、前記第八空きチャンバ４０の中に上下にスライドできる第三スライドブロック４２が設置され、前記第三スライドブロック４２の中に右向きの第一開き溝４４が設置され、前記第八空きチャンバ４０の右側内壁に前記第一開き溝４４の中に挿入する第一ガイドブロック４６が固定に接続され、前記第一ガイドブロック４６の下側内壁と前記第一開き溝４４の下側内壁の間に第一ばね４５が固定に接続され、前記第七空きチャンバ３８の左側端面に環形行列で分布する四つの送り口３９が左右貫通して設置される。
【００１５】
有益的には、前記第一固定ブロック５２の右側端面に制御ブロック５３が固定に設置され、前記制御ブロック５３の右側端面に上下行列で分布する四つのスイッチ５４が固定に設置され、前記第六空きチャンバ３７の下側内壁の左端に第一識別ブロック５７が固定に設置され、前記第二回転ブロック５５の弧状内壁に前記隔離板５６に四つの部分に間仕切りされた前記第七空きチャンバ３８とそれぞれ対応する第二識別ブロック５５が環形行列で固定に設置され、その中に、前記制御ブロック５３に設置されるスイッチ５４がそれぞれ四つの前記第二識別ブロック５５と対応し、前記スイッチ５４を押すと、対応的に第二識別ブロック５５が第一識別ブロック５７と対応する位置に回転する。
【００１６】
有益的には、前記第三スライドブロック４２の上側端面に釣リンク４７がヒンジで回転し設置され、使用人員が前記釣リンク４７によって前記第三スライドブロック４２を引き動かせる。
【００１７】
有益的には、前記第二歯車２１の右側端面に固定に接続される第一回転軸の右端が前記第一回転ブロック２２の左側端面と爪車で接続され、その中に、第一回転軸が回転すると第一回転ブロック２２と動力で係合接続され、第一回転軸が反転すると第一回転ブロック２２とスライドし係合接続される。
【００１８】
初期状態にある時、第一回転ブロック２２が第三空きチャンバ３１の開口が下に向かうまで回転し、第一スライドブロック３５が第四空きチャンバ２９の中に最大限度に右へ移動し、第三スライドブロック４２の下側端面が第八空きチャンバ４０の下側内壁と当接される。
【００１９】
使用人員が本装置のストローを取る時、使用人員が制御ブロック５３の右側端面に設置されるスイッチ５４を押し、この時に第二電機５１が回転し、それにより第三回転軸を通じて第二固定ブロック４９が自転し、そして第二識別ブロック５５が第六空きチャンバ３７の中にスイッチ５４と対応する第二識別ブロック５５が第一識別ブロック５７と当接するまで回転し、この時に第一電機２３が起動し、そして回転軸を通じて第一歯車２４が回転し、ひいては第二歯車２１が回転し、ひいては第一回転軸を通じて第一回転ブロック２２が第三空きチャンバ３１の開口が上に向かうまで一定角度を旋転し、同時に、第一歯車２４が第三歯車２６を連れて回転し、そして第二回転軸を通じて第一親ねじ２７を連れて回転し、ひては第二スライドブロック３４を連れて第五空きチャンバ２８の中に最大限度に左側へ移動し、ひいては第一スライドブロック３５を連れて最大限度に左へ移動し、この時に隔離板５６によって間仕切りされた第七空きチャンバ３８の中の対応する空間の中に置かれるストローが第二通し溝３６及び第一通し溝３２を通り抜けて第三空きチャンバ３１の中に落ち、この時に第一電機２３が再び一百八十度を回転し、そして第一回転ブロック２２を連れて第三空きチャンバ３１の開口が下に向かうまで旋転し、この時に第一スライドブロック３５が第四空きチャンバ２９の中に最大限度に左へ移動し、この時に第三空きチャンバ３１の中のストローが第一スライドブロック３５の右側の第四空きチャンバ２９の中に落ち、この時に第一電機２３が三百六十度を反転し、更に第三歯車２６を連れて反転し、更に第一親ねじ２７を連れて反転し、更に第二スライドブロック３４を連れて最大限度に右側へ移動し、更に第一スライドブロック３５を連れて第四空きチャンバ２９の中に最大限度に右側へ移動し、更に第四空きチャンバ２９に落ちたストローを第四空きチャンバ２９の右端開口外に押し、この時に使用人員がストローを取り、第七空きチャンバ３８の中のストローが尽くされたら、使用人員が釣リンク４７を上へ引いて第一スルーホール４３を開き、この時に第一スルーホール４３及び送り口３９を通じて第七空きチャンバ３８に相応するストローを加える。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。